(57)【要約】【課題】既存のサッシ枠を用いることができ、かつサッシの見込方向にコンパクトなガラスブロック付きサッシを提供する。【解決手段】方形状に枠組みしてなる枠体１にガラスブロック２０を連結してなり外周面２ａに取付金具２２を備えたガラスパネル２を納めたガラスブロック付きサッシにおいて、枠体１は内周部の略全周に渡って取付溝５３が形成され、取付溝５３には見付方向内側に突出する固定部１２を有したアタッチメント１０を挿入固定すると共に、ガラスパネル２の取付金具２２を固定部１２に固定してなる。また、取付金具２２はガラスパネル２の外周面２ａにおける対向する二側面から外方に突出する取付部２３を形成されてなり、取付部２３を固定部１２に固定する。【選択図】  図３
2005002590.tif 000002
【特許請求の範囲】
【請求項１】
方形状に枠組みしてなる枠体にガラスブロックを連結したガラスパネルを納めてなり、該ガラスパネルは外周面に取付金具を備えたガラスブロック付きサッシにおいて、
上記枠体は内周部の略全周に渡って取付溝が形成され、該取付溝には見付方向内側に突出する固定部を有したアタッチメントを挿入固定すると共に、上記ガラスパネルの取付金具を上記固定部に固定してなることを特徴とするガラスブロック付きサッシ。
【請求項２】
方形状に枠組みしてなる枠体に框体を納め、該框体にはガラスブロックを連結したガラスパネルを納めてなり、該ガラスパネルは外周面に取付金具を備えたガラスブロック付きサッシにおいて、
上記框体は内周部の略全周に渡って取付溝が形成され、該取付溝には見付方向内側に突出する固定部を有したアタッチメントを挿入固定すると共に、上記ガラスパネルの取付金具を上記固定部に固定してなることを特徴とするガラスブロック付きサッシ。
【請求項３】
上記取付金具はガラスパネルの外周面における対向する二側面から外方に突出する取付部を形成されてなり、該取付部を上記固定部に固定することを特徴とする請求項１または２記載のガラスブロック付きサッシ。
【請求項４】
上記ガラスパネルを納める枠体または框体は室外側の金属部材と、該金属部材の室内側露出部分を略覆う樹脂部材とからなり、上記アタッチメントの固定部は上記金属部材により構成される取付溝の室外側面と上記樹脂部材により構成される取付溝の室内側面との間に挿入固定されることを特徴とする請求項１〜３のいずれか１項に記載のガラスブロック付きサッシ。
【請求項５】
上記アタッチメントの固定部の室外側及び室内側に湿式の目地材を設けてなることを特徴とする請求項１〜４のいずれか１項に記載のガラスブロック付きサッシ。
【請求項６】
上記アタッチメントの固定部の室外側に湿式の目地材を設けると共に、室内側に乾式の目地材を設けてなることを特徴とする請求項１〜４のいずれか１項に記載のガラスブロック付きサッシ。
【発明の詳細な説明】
【０００１】
【発明の属する技術分野】
本発明は、ガラスブロックを連結したガラスパネルを枠体または框体に納めたガラスブロック付きサッシに関し、特に専用の枠や框を用いることなくガラスパネルを枠体または框体に固定することのできるガラスブロック付きサッシに関する。
【０００２】
【従来の技術】
従来から、ガラスブロックを縦横に複数連結してガラスパネルを構成し、そのガラスパネルを建物開口部に設けた枠体に納めてなるガラスブロック付きサッシが知られている。各ガラスブロックはモルタルやシリコーン等の目地材を介して連結され、ガラスパネルの外周面には、ガラスパネルを枠体に固定するために、金属板からなる取付金具が設けられる。このようなガラスパネルを枠体に納めたガラスブロック付きサッシとしては、例えば特許文献１や特許文献２に示すものがある。
【０００３】
【特許文献１】
特開平１０−２０５０６１号公報
【特許文献２】
特許第２８９１６４３号公報
【０００４】
【発明が解決しようとする課題】
しかし、従来のガラスブロック付きサッシは、枠体としてガラスブロックを納めるための専用品を用いていた。したがって、通常のガラス板を納めて用いられている既存のサッシ枠を、ガラスブロック付きサッシとして用いることはできなかった。また、既存のサッシ枠においては、枠体の内周部にガラス板を納めるための溝が形成されている。ガラスブロックは通常のガラス板に比べると厚みの大きいものである（５０ｍｍ以上）ため、特許文献２に記載されているように、溝の中にガラスブロックを納める構成とすると、サッシの見込寸法が比較的大きくなる。
【０００５】
本発明は、上記従来の問題点に鑑みてなされたものであり、既存のサッシ枠を用いることができ、かつサッシの見込方向にコンパクトなガラスブロック付きサッシを提供することを目的とする。
【０００６】
【課題を解決するための手段】
上記課題を解決するため、本発明に係るガラスブロック付きサッシは、方形状に枠組みしてなる枠体にガラスブロックを連結したガラスパネルを納めてなり、該ガラスパネルは外周面に取付金具を備えたガラスブロック付きサッシにおいて、
上記枠体は内周部の略全周に渡って取付溝が形成され、該取付溝には見付方向内側に突出する固定部を有したアタッチメントを挿入固定すると共に、上記ガラスパネルの取付金具を上記固定部に固定してなることを特徴として構成されている。
【０００７】
また、本発明に係るガラスブロック付きサッシは、方形状に枠組みしてなる枠体に框体を納め、該框体にはガラスブロックを連結したガラスパネルを納めてなり、該ガラスパネルは外周面に取付金具を備えたガラスブロック付きサッシにおいて、
上記框体は内周部の略全周に渡って取付溝が形成され、該取付溝には見付方向内側に突出する固定部を有したアタッチメントを挿入固定すると共に、上記ガラスパネルの取付金具を上記固定部に固定してなることを特徴として構成されている。
【０００８】
さらに、本発明に係るガラスブロック付きサッシは、上記取付金具はガラスパネルの外周面における対向する二側面から外方に突出する取付部を形成されてなり、該取付部を上記固定部に固定することを特徴として構成されている。
【０００９】
さらにまた、本発明に係るガラスブロック付きサッシは、上記ガラスパネルを納める枠体または框体は室外側の金属部材と、該金属部材の室内側露出部分を略覆う樹脂部材とからなり、上記アタッチメントの固定部は上記金属部材により構成される取付溝の室外側面と上記樹脂部材により構成される取付溝の室内側面との間に挿入固定されることを特徴として構成されている。
【００１０】
そして、本発明に係るガラスブロック付きサッシは、上記アタッチメントの固定部の室外側及び室内側に湿式の目地材を設けてなることを特徴として構成されている。
【００１１】
また、本発明に係るガラスブロック付きサッシは、上記アタッチメントの固定部の室外側に湿式の目地材を設けると共に、室内側に乾式の目地材を設けてなることを特徴として構成されている。
【００１２】
【発明の実施の形態】
本発明の実施形態について、図面に沿って詳細に説明する。図１は、本実施形態におけるガラスブロック付きサッシの正面図であり、図２は、本実施形態におけるガラスブロック付きサッシの縦断面図である。また、図３は、本実施形態におけるガラスブロック付きサッシの横断面図である。図１に示すように、本実施形態におけるガラスブロック付きサッシは、枠材を方形状に枠組みして建物の開口部に設けてなる枠体１に、ガラスブロック２０を縦横に複数連結してなるガラスパネル２を納めてなるものである。本発明は、枠体１に対するガラスパネル２の固定構造にその特徴を有している。そこで、図４にはガラスパネル固定部分の拡大図を示す。
【００１３】
ガラスブロック２０は、略正方形状に形成されると共に、単板ガラスや複層ガラスに比べると肉厚状に形成される。ガラスパネル２は、これらガラスブロック２０をモルタルやシリコーン等からなるパネル目地材２１によって連結する。本実施形態では、横方向に２個のガラスブロック２０を連結すると共に、縦方向に３個ないし５個のガラスブロック２０を連結したガラスパネル２を用いる。枠体１に納められるガラスパネル２は、全体で横方向に２つのガラスブロック２０を備え、縦方向に１３個のガラスブロック２０を備える。したがって、縦方向に５個のガラスブロック２０を連結したガラスパネル２を２枚と、縦方向に３個のガラスブロック２０を連結したガラスパネル２を１枚縦方向に連結させて枠体１内に納めている。ただし、ガラスブロック２０の数はこれに限られずどのようなサイズのガラスパネル２であっても本発明を適用することができる。
【００１４】
また、ガラスパネル２の外周面２ａには、金属板からなる取付金具２２が設けられている。取付金具２２は、接着やビス止め等の手段により、ガラスパネル２の外周面２ａに固定されている。また、ガラスパネル２の外周面２ａのうち、上下面に設けられる取付金具２２と左右面に設けられる取付金具２２とは形状が異なっている。上下面に設けられる取付金具２２は、略平板状の金属板をガラスパネル２の外周面２ａに当接させてなるものである。一方、左右面に設けられる取付金具２２は、略平板状の金属板をガラスパネル２の外周面２ａに当接させると共に、その一端を外周面２ａとは略垂直方向に突出させて、取付部２３を形成してなるものである。
【００１５】
このように、ガラスパネル２の外周面２ａに設けられる取付金具２２は、ガラスパネル２の互いに対向する左右の外周面２ａのみに取付部２３を形成している。そして、この取付部２３には、長手方向数カ所にネジ孔を形成しており、枠体１に対してネジ止めされることになる。すなわち、本実施形態においては、ガラスパネル２は、外周面２ａのうち左右二面において枠体１に固定されるものである。ただし、ガラスパネル２の互いに対向する上下の外周面２ａに取付部２３を形成し、枠体１に対してネジ止めするようにしてもよい。
【００１６】
枠体１は、アルミ等の金属からなる上枠３０と下枠４０、及び左右の縦枠５０、５０を、図１に示すように方形状に枠組みしてなるものである。これら上枠３０と下枠４０及び縦枠５０は、複層ガラスを納めてなる既存のサッシに用いられるものと同様の枠材であり、押出し型材にて断面中空状に成型されてなる。図２に示すように、上枠３０には内周部に、複層ガラスを納めるために設けられる取付溝３３を形成している。下枠４０の内周部にも同様に取付溝４３を形成している。さらに、図３に示すように、縦枠５０の内周部にも同様に取付溝５３を形成している。したがって、枠体１はその内周部に略全周に渡る取付溝３３、４３、５３、５３を形成してなる。
【００１７】
これらの取付溝３３、４３、５３、５３には、長手方向略全長に渡ってアタッチメント１０がそれぞれ挿入固定される。上枠３０に取付けられるアタッチメント１０は、取付溝３３を略覆う基部１１と、その基部１１から枠体１の見付方向内側に突出する固定部１２と、基部１１から取付溝３３の方向に向かって突出し、取付溝３３に挿入され嵌合固定される挿入部１３とからなるものである。また、長手方向には略同形状に形成されている。下枠４０と左右の縦枠５０、５０に取付けられるアタッチメント１０も同様に形成される。これらアタッチメント１０は、枠材と同様にアルミの押出し型材からなっている。
【００１８】
なお、本実施形態では、アタッチメント１０は挿入部１３を枠体１に対して嵌合により固定しているが、ネジ止めやビス止めにより固定するようにしてもよい。また、このアタッチメント１０は基部１１から固定部１２及び挿入部１３を形成しているが、形状としてはこれに限られず、取付溝３３に挿入できる挿入部１３及びガラスパネル２の取付部２３を固定できる固定部１２を有していればよい。例えば、本実施形態の固定部１２は室外側と室内側にそれぞれ突片を形成してなるのに対し、室外側から室内側に至る凸部により構成してもよい。
【００１９】
このようにアタッチメント１０を枠体１に取付けると、既存のサッシでは複層ガラスを納めるのに用いられる取付溝３３、４３、５３、５３が、略全周に渡って覆われると共に、枠体１の見付方向内側に突出する固定部１２を設けた状態となる。枠体１の略全周に渡る固定部１２のうち、左右の側面に設けられた固定部１２とガラスパネル２の外周面２ａにおける左右の面に設けられた取付部２３とを固定することにより、ガラスパネル２を枠体１に固定することができる。
【００２０】
図３に示すように、ガラスパネル２の外周面２ａに設けられた取付金具２２の取付部２３は、アタッチメント１０の固定部１２における室外側面に室外側から当接すると共に、固定ネジ２４によって長手方向数カ所を固着される。これにより、ガラスパネル２はアタッチメント１０に固定され、このアタッチメント１０は枠体１に固定されているので、ガラスパネル２を枠体１に対して固定することができる。このように、ガラスパネル２の枠体１に対する固定を左右の側面のみで行うことにより、固定作業を簡易に行うことができる。
【００２１】
また、図２に示すように、下枠４０においては、固定したアタッチメント１０の固定部１２に、セッティングブロック２７を設け、そのセッティングブロック２７の上面にガラスパネル２の外周面２ａを当接させて、ガラスパネル２の上下方向位置決めをする。上枠３０にもアタッチメント１０が設けられるが、ここではガラスパネル２とアタッチメント１０は直接固定されることはない。
【００２２】
枠体１とガラスパネル２の間であって、アタッチメント１０の室外側と室内側には、それぞれ気密や水密のために目地材２６、２６を設ける。まずアタッチメント１０の固定部１２における室外側面及び室内側面に当接するようにバックアップ材２５、２５を設ける。そしてその外側にそれぞれ湿式の目地材２６、２６を設けて気密性及び水密性を確保している。ここで湿式の目地材２６としては、モルタルやシリコーン等が用いられる。
【００２３】
なお、本実施形態では、湿式の目地材２６を用いているが、乾式の目地材２６をそれぞれ挿入するようにしてもよい。乾式の目地材２６の方が湿式の目地材２６よりも施工が容易であるので、取付作業を容易にすることができる。また、アタッチメント１０の室外側には湿式の目地材２６を設け、室内側には乾式の目地材２６を設けることもできる。このようにすれば、気密性や水密性を確保しつつ取付作業も比較的容易に行うことができる。
【００２４】
このように構成される本実施形態のガラスブロック付きサッシは、以下のように組立てられる。図５には、縦枠５０部分におけるサッシの組立図を示す。まず、建物開口部に上枠３０と下枠４０及び左右の縦枠５０、５０を方形状に枠組みした枠体１を固定する。その内周部の略全周にアタッチメント１０をそれぞれ挿入し、嵌合固定する。次に縦方向にガラスブロック２０を３個連結したガラスパネル２を下枠４０に設けたセッティングブロック２７上に設置すると共に、外周面２ａの両側に設けられた取付金具２２の取付部２３をアタッチメント１０の固定部１２にネジ止めする。さらにそのガラスパネル２の上から、ガラスブロック２０を５個連結したガラスパネル２を載せて、取付部２３と固定部１２をネジ止めする。さらにまた同様に、その上からガラスブロック２０を５個連結したガラスパネル２を載せて、取付部２３と固定部１２をネジ止めする。
【００２５】
それぞれのガラスブロック２０の間には、それぞれ目地材２６を設けて気密性及び水密性を確保する。そして、ガラスパネル２を枠体１に全て納めたらアタッチメント１０の室外側面及び室内側面にそれぞれバックアップ材２５、２５を設けると共に、さらにそれらの外側から湿式の目地材２６、２６を注入する。これにより、図１に示すように建物開口部に対してガラスブロック付きサッシを取付けることができる。
【００２６】
次に、第２の実施形態について説明する。第１の実施形態では、枠体１として金属材のみからなるものを用いていたが、本実施形態では枠体１として、室外側に設ける金属部材３の室内側露出部分を樹脂部材４で略覆ってなる複合材からなるものを用いる。このように金属部材３の室内側露出部分を樹脂部材４で略覆うことにより、断熱性能を確保することができると共に、意匠性を向上させることもできる。
【００２７】
図６には、本実施形態におけるガラスブロック付きサッシの縦断面図を示し、図７には、本実施形態におけるガラスブロック付きサッシの横断面図を示す。これら各図に示すように、本実施形態のガラスブロック付きサッシは、第１の実施形態と同様に、建物開口部に上下枠３０、４０及び左右の縦枠５０、５０を方形状に枠組みしてなる枠体１を設け、その内部にガラスパネル２を納めてなるものである。
【００２８】
枠体１を構成する各枠材は、複合型の枠材であり、ベースとなる金属部材３とその室内側露出部分を覆う樹脂部材４とから構成されている。金属部材３は、金属上枠３１、金属下枠４１、金属縦枠５１、５１を方形に枠組みして構成され、樹脂部材４は、樹脂上枠３２、樹脂下枠４２、樹脂縦枠５２、５２から構成されている。そして、上記樹脂上枠３２は金属上枠３１に、樹脂下枠４２は金属下枠４１に、樹脂縦枠５２は金属縦枠５１に、それぞれ取付けられている。金属部材３には、係止片が設けられ、樹脂部材４はそれに係合された上で、ネジによって固定される。
【００２９】
ここで、枠体１には第１の実施形態と同様にその内周部に取付溝３３、４３、５３、５３が略全周に渡って形成される。図７に示すように、ガラスパネル２の取付金具２２を固定するアタッチメント１０を挿入固定する縦枠５０の取付溝５３は、室外側面５４は金属縦枠５１により構成されると共に、室内側面５５は樹脂縦枠５２により構成されている。したがって、縦枠５０に挿入固定されるアタッチメント１０の固定部１２は、室外側を金属縦枠５１に、室内側を樹脂縦枠５２に嵌合し、固定される。
【００３０】
ガラスパネル２の枠体１に対する固定構造は、第１の実施形態と同様で、ガラスパネル２の外周面２ａに設けられた取付金具２２は、外方に突出する取付部２３を形成されてなり、縦枠５０の取付溝５３に挿入固定されたアタッチメント１０の固定部１２に取付部２３を当接させると共に、固定ネジ２４で固着させてなる。また、第１の実施形態と同様に、ガラスパネル２の枠体１に対する固定はガラスパネル２の外周面２ａにおける左右の側面のみで行う。
【００３１】
これまで本発明の実施形態について説明したが、本発明の適用はこれらに限られるものではなく、その技術的思想の範囲内において様々に適用されうるものである。例えば、これら実施形態では、建物開口部に設けられる枠体１にガラスパネル２を納めた、いわゆる嵌め殺しのサッシについて示したが、これに限られず、建物開口部に枠体を設け、さらにその内部に方形状に枠組みしてなる框体を設けて、その内部にガラスパネルをおさめるようにしてもよい。この場合には、框体を構成する各框材が、上記実施形態の各枠材と同様の構成となり、内周部に取付溝を形成されて、それに固定部を形成されたアタッチメントを挿入固定して、さらにガラスパネルの取付金具をそれに固定する。これによれば、引き違い障子やドアを納めたサッシであっても、本発明を適用することができる。
【００３２】
【発明の効果】
以上のように、本発明に係るガラスブロック付きサッシによれば、枠体の取付溝には見付方向内側に突出する固定部を有したアタッチメントを挿入固定し、ガラスパネルの取付金具を固定部に固定することにより、ガラスパネルを直接枠体の内周に設けられた溝に挿入する場合に比べて、サッシを見込方向に大きくしなくてもよいので、見込方向にコンパクトなサッシとすることができる。また、既存のサッシを用いることができるので、建物開口部の構造を通常のガラス板を納めるサッシと同様にすることができて、構造を複雑にすることがない。
【００３３】
また、本発明に係るガラスブロック付きサッシによれば、枠体のみならず、框体にも同様の構造を適用することができる。
【００３４】
さらに、本発明に係るガラスブロック付きサッシによれば、取付金具はガラスパネルの外周面における対向する二側面から外方に突出する取付部を形成されることにより、ガラスパネルの固定は側面のみで行うので、取付作業を容易に行うことができる。
【００３５】
さらにまた、本発明に係るガラスブロック付きサッシによれば、ガラスパネルを納める枠体または框体は室外側の金属部材と、その室内側露出部分を略覆う樹脂部材とからなり、アタッチメントの固定部は金属部材により構成される取付溝の室外側面と樹脂部材により構成される取付溝の室内側面との間に挿入固定されることにより、ガラスパネルを納めた断熱構造のサッシとすることができる。
【００３６】
そして、本発明に係るガラスブロック付きサッシによれば、アタッチメントの固定部の室外側及び室内側に湿式の目地材を設けることにより、気密性及び水密性を十分に確保することができる。
【００３７】
また、本発明に係るガラスブロック付きサッシによれば、アタッチメントの固定部の室外側に湿式の目地材を設けると共に、室内側に乾式の目地材を設けることにより、気密性及び水密性を確保しつつ、作業を容易化することができる。
【図面の簡単な説明】
【図１】本実施形態におけるガラスブロック付きサッシの正面図である。
【図２】本実施形態におけるガラスブロック付きサッシの縦断面図である。
【図３】本実施形態におけるガラスブロック付きサッシの横断面図である。
【図４】図３におけるガラスパネル固定部分の拡大図である。
【図５】縦枠におけるガラスパネル固定部分の組立図である。
【図６】第２の実施形態におけるガラスブロック付きサッシの縦断面図である。
【図７】第２の実施形態におけるガラスブロック付きサッシの横断面図である。
【符号の説明】
１      枠体
２      ガラスパネル
２ａ    外周面
３      金属部材
４      樹脂部材
１０      アタッチメント
１２      固定部
２０      ガラスブロック
２２      取付金具
２３      取付部
２６      目地材
３０      上枠
３３      取付溝
４０      下枠
４３      取付溝
５０      縦枠
５３      取付溝
５４      室外側面
５５      室内側面
【図１】
2005002590.tif 000003
【図２】
2005002590.tif 000004
【図３】
2005002590.tif 000005
【図４】
2005002590.tif 000006
【図５】
2005002590.tif 000007
【図６】
2005002590.tif 000008
【図７】
2005002590.tif 000009